(57)【要約】【課題】人体から発するおならの臭いの外部への発散を防止するとともに、着座時のクッションを容易に装着・取り外し出来、そのクッションが所定位置に固定可能であり、且つ低コストで製造可能なパンツを提供する。【解決手段】パンツの伸縮帯によりパンツ本体がそのふくらみを調節可能な部位の、パンツ内側にポケットを設け、人体着座時の荷重により、弾性・反りを有する使い捨て脱臭シートを収納したパンツ構造とする。【選択図】  図１
2005105453.tif 000002
【特許請求の範囲】
【請求項１】
人体に直接触れ且つその一部に伸縮可能な帯を有するパンツにおいて、
パンツの内側すなわち人体に触れる面に１個若しくは複数個のポケットを有し
前記伸縮帯が最大に伸びた状態では前記ポケットの入り口周囲長が該ポケットの収納部の横方向周囲長よりも略同一若しくはそれ以上の寸法であり、
前記伸縮帯がパンツ自重に加え前記ポケットに所定の収納物を収納した状態で人体から脱落しない状態で前記ポケットの入り口周囲長が該ポケットの収納部の横方向周囲長よりも小さい寸法であることを特徴とするパンツ。
【請求項２】
前記パンツ伸縮帯の伸縮作用により、伸縮帯が縮んだ状態での前記ポケットの入り口幅は、伸縮帯が最大に伸びた状態での入り口幅よりも小さいことを特徴とする請求項１記載のパンツ。
【請求項３】
前記ポケットの内部に所定厚みを有し且つその厚み方向に弾力を有し且つ人体の着座時の荷重により着座形状に沿って変形する脱臭シート収納したことを特徴とする請求項１乃至２記載のパンツ。
【請求項４】
前記請求項３において、前記ポケット及び該ポケットに前記脱臭シートを収納した集合体を複数個有することを特徴とする請求項３記載のパンツ。
【請求項５】
前記脱臭シートの着座時の人体との接触面積と脱臭シート集合体の総面積が略同等であることを特徴とすることを特徴とする請求項４記載のパンツ。
【発明の詳細な説明】
【技術分野】
【０００１】
本発明はパンツ、特に消臭パンツの構造に関するものである。
【背景技術】
【０００２】
パンツ及びそれに類する下着の消臭機能を有する技術は従来から開示されている。特に高齢者、女性を対象とした製品に関する製品については多数の文献が存在する。
【０００３】
しかし、例えば糖尿病患者の日常生活に必要な機能を有するパンツについては開示されていない。糖尿病患者の日常生活については、先ず食事療法を基本にして食する量をコントロールする必要があり、大腸からのブドウ糖吸のピークを抑制する補助剤が併用される。この補助剤の副作用として、いわゆる「おなら」と称するガスが発生する。人は着座している際は大腸の運動が少ないのでガスの発生は少量であるが、ガスの発生量の多い人は着座中でも漏出し周囲に異臭を放つ。更に上記患者の中には従来肥満体であった人が急激に痩せるケースが多く見られ、且つ上記補助剤の作用もあり体重減少及び筋肉その他の肉も減少し、人体の関節表面部位は何らかの外圧により痛みを感じる。特に着座時は上半身の体重が尻に集中するので尻部の痛みは著しい。
【０００４】
現在消臭を目的としたパンツの類で最も一般的なのが、例えば特開２００２−０８５４４９で開示されているような使い捨ておむつの類で、主目的は失禁時の尿等の吸収にありこれに臭いを吸収する構造を付加したであり、消臭部位の中心は肛門ではなく、本体ごとに使い捨てするので高価である。
【０００５】
また、現在非特許文献として消臭パンツが２００３年４月１８日付けで開示されており、パンツの後部にポケットを付け消臭シートを挿入することを提案している。ただし、その具体的方法は開示されていない。
【特許文献１】特開２００２−０８５４４９
【非特許文献１】http://www.tanomi.com/metoo/naiyou.html?kid=4817
【発明の開示】
【発明が解決しようとする課題】
【０００６】
解決しようとする問題点は、使い捨ておむつの構造では構造が複雑且つ大掛かりで、費用も高価であること、用便が簡単に出来ない、また、非特許文献の提案は具体的技術が開示されてない。更に、尻部で上半身の体重を支え痛みを軽減することについては上記文献のいずれにおいても開示されてない。
【０００７】
本発明では、上記問題を解決し、肛門より発するガスを消臭するとともに、尻部で上半身の体重を支える際に痛みを軽減し、日常行動に違和感無く、低コストのパンツを提供することを目的とする。
【課題を解決するための手段】
【０００８】
第１の発明は、人体に直接触れ且つその一部に伸縮可能な帯を有するパンツにおいて、
パンツの内側すなわち人体に触れる面に１個若しくは複数個のポケットを有し
前記伸縮帯が最大に伸びた状態では前記ポケットの入り口周囲長が該ポケットの収納部の横方向周囲長よりも略同一若しくはそれ以上の寸法であり、
前記伸縮帯がパンツ自重に加え前記ポケットに所定の収納物を収納した状態で人体から脱落しない状態で前記ポケットの入り口周囲長が該ポケットの収納部の横方向周囲長よりも小さい寸法であることを特徴とするパンツとする。
【０００９】
第２の発明は、前記パンツ伸縮帯の伸縮作用により、伸縮帯が縮んだ状態での前記ポケットの入り口幅は、伸縮帯が最大に伸びた状態での入り口幅よりも小さいことを特徴とする第１の発明記載のパンツとする。
【００１０】
第３の発明は、前記ポケットの内部に所定厚みを有し且つその厚み方向に弾力を有し且つ人体の着座時の荷重により着座形状に沿って変形する脱臭シート収納したことを特徴とする第１乃至第２の発明記載のパンツとする。
【００１１】
第４の発明は、前記第３の発明において、前記ポケット及び該ポケットに前記脱臭シートを収納した集合体を複数個有することを特徴とする第３の発明記載のパンツとする。
【００１２】
第５の発明は、前記脱臭シートの着座時の人体との接触面積と脱臭シート集合体の総面積が略同等であることを特徴とすることを特徴とする第４の発明記載のパンツとする。
【発明の効果】
【００１３】
本発明のパンツを着用することにより、肛門より発するガスを消臭するとともに、尻部で上半身の体重を支える際に痛みを軽減し、伸縮帯の作用によりパンツ装着時の収納した消臭シートを固定するとともに、低コストで日常行動に違和感無く行動が出来る。
【発明を実施するための最良の形態】
【００１４】
図１、図２、図３は第１の発明〜第３の発明を示すもので、１はパンツ本体、２はパンツの収縮帯、３はパンツ外周伸縮影響エリア、４はポケット、５は消臭シート、６は人体である。
【００１５】
パンツの内側（裏側）後方に幅約５ｃｍ、深さ約３０ｃｍのポケットを取り付けた。この寸法は市販のパンツを基に人体に合わせ、ポケット上部をパンツ伸縮帯の影響エリアに設けてパンツ装着時にパンツポケット入り口幅が狭くなるようにし、ポケット下部を着座時の椅子と人体の接触位置としクッション作用を持たせた。ポケット素材は薄い綿とした。
【００１６】
消臭シートは、暑さ約５ｍｍで弾性体を中心とした３層構造の全方向にフレキシブルな長尺シートの使い捨て可能なものをポケットに合わせて切断した。ポケットと消臭シートの寸法及び位置については両者合い前後して調整するのが望ましい。
【００１７】
使用に際しては、パンツのポケットに切断された消臭シートを挿入し、パンツを着用する。消臭効果が減少すれば、消臭シートのみを新規のシートに交換し、古いシートは処分する。今回使用した消臭シートは環境対応材料であるので、通常の廃棄処分を行った。パンツ本体は、消臭シートを取り出して通常の洗濯を行った。
【００１８】
図４は、更にポケットを付加する位置の最適化を図るために、伸縮帯及びポケットの増設を図ったものである。
【産業上の利用可能性】
【００１９】
日常生活において下着として着用するパンツとして利用出来るほか、糖尿病又は痔、腸等に疾患を有しながら日常生活を送る人、高齢者には特に有用である。パンツ本体は洗濯することにより、繰り返し使用が可能であり低コストで利用出来る。
【図面の簡単な説明】
【００２０】
【図１】本発明のパンツの一形態を示す正面斜視図
【図２】本発明のパンツの一形態を示す側面図
【図３】本発明のパンツを着用した状態を示す側面図
【図４】本発明のパンツの更に別形態を示す後方よりみた正面図
【符号の説明】
【００２１】
１  パンツ本体部分
２  伸縮帯
３  パンツ外周伸縮影響エリア
４  ポケット
５  消臭シート
６  人体
【図１】
2005105453.tif 000003
【図２】
2005105453.tif 000004
【図３】
2005105453.tif 000005
【図４】
2005105453.tif 000006